【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  測光開始を指示する第１の操作手段と、撮影開始を指示する第２の操作手段と、前記第１の操作手段の操作に応じて測光を開始すると共に前記第２の操作手段の操作に応じて撮影を開始するシステム制御手段を備え、前記システム制御手段は、前記測光に基づく第1の演算の完了後に前記第２の操作手段の操作により撮影の開始が指示された場合には、前記第1の演算の結果に基づいて前記撮影時の露光制御を行うと共に、前記測光に基づく前記第１の演算の完了前に前記第２の操作手段の操作により撮影の開始が指示された場合には、前記第１の演算よりも短い時間で精度の低い第２の演算を行いその結果に基づいて前記撮影結果の画像信号の補正を行う補正手段を有することを特徴とする画像処理装置。
【請求項２】  前記第１の操作手段は、シャッターレリーズ部材の第１段階の操作に応じるスイッチを含み、前記第２の操作部手段は、前記シャッターレリーズ部材の第２段階の操作に応じるスイッチを含むことを特徴とする請求項１に記載の画像処理装置。
【請求項３】  前記システム制御手段は、前記露出準備動作として露出制御値の演算を行うことを特徴とする請求項１に記載の画像処理装置。
【請求項４】  前記システム制御手段は、前記第１の操作手段により測光開始が指示されてから一定時間経過する前に前記第２の操作手段により撮影開始が指示された場合には、前記測光に基づく前記第1の演算の完了前に前記第２の操作手段の操作により撮影開始が指示されたと判定することを特徴とする請求項１に記載の画像処理装置。
【請求項５】  前記システム制御手段は、前記測光に基づく前記第１の演算の完了前に、前記第２の操作手段の操作により撮影開始が指示された場合には、前記第１の演算よりも短い時間で精度の低い第２の演算を行った後に、前記第２の操作手段の操作により撮影を開始することを特徴とする請求項１に記載の画像処理装置。
【請求項６】  前記第２の演算は、前記測光に基づく前記第１の演算の許容範囲を拡張したものであることを特徴とする請求項５に記載の画像処理装置。
【請求項７】  前記第２の演算は、前記測光に基づく前記第１の演算の許容範囲の上限値を所定範囲に制限しつつ拡張したものであることを特徴とする請求項５に記載の画像処理装置。
【請求項８】  測光開始を指示する第１の操作工程と、撮影開始を指示する第２の操作工程と、前記第１の操作工程の操作に応じて測光を開始すると共に前記第２の操作工程の操作に応じて撮影を開始するシステム制御工程を備え、前記システム制御工程は、前記測光に基づく第1の演算の完了後に前記第２の操作工程の操作により撮影の開始が指示された場合には、前記第1の演算の結果に基づいて前記撮影時の露光制御を行うと共に、前記測光に基づく前記第１の演算の完了前に前記第２の操作手段の操作により撮影の開始が指示された場合には、前記第１の演算よりも短い時間で精度の低い第２の演算を行いその結果に基づいて前記撮影結果の画像信号の補正を行う補正工程を有することを特徴とする画像処理装置の制御方法。
【請求項９】  前記第１の操作工程は、シャッターレリーズ部材の第１段階の操作に応じるスイッチを含み、前記第２の操作部手段は、前記シャッターレリーズ部材の第２段階の操作に応じるスイッチを含むことを特徴とする請求項８に記載の画像処理装置の制御方法。
【請求項１０】  前記撮影工程は、前記露出準備動作として露出制御値の演算を行うことを特徴とする請求項８に記載の画像処理装置の制御方法。
【請求項１１】  前記撮影工程は、前記第１の操作工程により撮影準備が指示されてから一定時間経過する前に前記第２の操作工程により撮影開始が指示された場合には、前記露出準備動作が完了状態になる前に前記第２の操作工程の操作により露出動作の開始が指示されたと判定することを特徴とする請求項８に記載の画像処理装置の制御方法。
【請求項１２】  前記撮影工程は、前記露出準備動作が完了状態になる前に、前記第２の操作工程の操作により露出動作の開始が指示された場合には、前記露出準備動作より短時間に完了する第２の露出準備動作を行った後に露出動作を開始することを特徴とする請求項８に記載の画像処理装置の制御方法。
【請求項１３】  前記第２の露出準備動作は露出制御値の許容範囲を拡張したものであることを特徴とする請求項１２に記載の画像処理装置の制御方法。
【請求項１４】  前記第２の露出準備動作は、露出制御値の許容範囲の上限値を所定範囲に制限しつつ拡張したものであることを特徴とする請求項１２に記載の画像処理装置の制御方法。
【請求項１５】  請求項８に記載の制御方法をコンピューターに実行させるためのプログラム。
【請求項１６】  請求項１５に記載のプログラムをコンピューター読み取り可能に記録したことを特徴とする記録媒体。
【手続補正２】
【補正対象書類名】明細書
【補正対象項目名】０００１
【補正方法】変更
【補正の内容】
【０００１】
【発明の属する技術分野】
本発明は、測光開始の操作入力がなされた時点から撮影が実行される時点までのタイムラグを低水準に維持しつつ、高精度な露出制御を実現する画像処理装置に関するものである。
【手続補正３】
【補正対象書類名】明細書
【補正対象項目名】０００６
【補正方法】変更
【補正の内容】
【０００６】
本発明は、以上の事情に鑑みなされたもので、測光開始操作から撮影開始操作までの時間間隔が短く撮影準備が完了していない場合であっても、高速、高精度な撮影を可能にする画像処理装置等を提供しようとするものである。
【手続補正４】
【補正対象書類名】明細書
【補正対象項目名】０００７
【補正方法】変更
【補正の内容】
【０００７】
【課題を解決するための手段】
上記課題を解決し、目的を達成するために、本発明の画像処理装置は、撮影準備を指示する第１の操作手段と、撮影開始を指示する第２の操作手段と、前記第１の操作手段の操作に応じて露出準備動作を開始すると共に前記第２の操作手段の操作に応じて露出動作を開始する撮影手段を備え、前記撮影手段は、前記露出準備動作が完了状態になる前に前記第２の操作手段の操作により露出動作の開始が指示された場合には、簡易な露出準備動作の結果に基づいて露出動作後に露出結果の補正を行うことを特徴とする。
【手続補正５】
【補正対象書類名】明細書
【補正対象項目名】０００８
【補正方法】変更
【補正の内容】
【０００８】
上記課題を解決し、目的を達成するために、本発明の画像処理装置の制御方法は、撮影準備を指示する第１の操作工程と、撮影開始を指示する第２の操作工程と、前記第１の操作工程の操作に応じて露出準備動作を開始すると共に前記第２の操作工程の操作に応じて露出動作を開始する撮影工程を備え、前記撮影工程は、前記露出準備動作が完了状態になる前に前記第２の操作工程の操作により露出動作の開始が指示された場合には、簡易な露出準備動作の結果に基づいて露出動作後に露出結果の補正を行うことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００４３
【補正方法】変更
【補正の内容】
【００４３】
このとき、露出演算処理が終了するまでにシャッタースイッチ６４が押された場合は、直ちに露出演算処理を中断し、刑事部２１にて６２が押されてから６４が押されるまでの時間を計時する（Ｓ１０４）。計時された時間がある閾値ｔより長ければ（Ｓ１０７でＮ）、ＳＷ１が押された時点からＳＷ２が押された時点までに露出制御値が既に算出されているとし、露出演算処理（Ｓ１０６）の結果を基に露出制御手段４０によって露出制御を行い、本露光（Ｓ１１３）後に撮像処理を終了する。計時された時間がある閾値ｔより短ければ（Ｓ１０７でＹ）、ＳＷ１が押された時点からＳＷ２が押された時点までに露出制御値がいまだ算出されていないとして、測光値の取り込み回数や取り込み量を制限した短時間で終了する簡易で高速化された露出演算処理（Ｓ１０８）を行い本露光する（Ｓ１０９）。
【手続補正１１】
【補正対象書類名】明細書
【補正対象項目名】００４４
【補正方法】変更
【補正の内容】
【００４４】
本露光後、撮像した画像の輝度レベルの検出を輝度レベル演算手段１２３で行い（Ｓ１１０）上記測光時の輝度レベルＹと本露光時の画画像の輝度レベルＹ１を比較して補正ゲインαを算出する（Ｓ１１１）。
α＝Ｙ／Ｔ１（式１）
【手続補正１２】
【補正対象書類名】明細書
【補正対象項目名】００４５
【補正方法】変更
【補正の内容】
【００４５】
上記比較の結果、得られた補正ゲインαで本露光時の画像の各画素値にゲインをかけて、輝度レベル補正を行う（Ｓ１１２）。このとき、上記測光時の輝度レベルＹや本露光時の画像の輝度レベルＹ１は同じ条件で算出された値で比較を行う。このときの輝度レベルは画面全体の平均輝度レベルでもよいし、中央部のみ、あるいは分離したエリアごとの輝度レベルの平均的な輝度などを用いても良い。
【手続補正１３】
【補正対象書類名】明細書
【補正対象項目名】００６４
【補正方法】変更
【補正の内容】
【００６４】
【発明の効果】
以上説明したように、本発明によれば、測光開始操作から撮影開始操作までの時間間隔が短く撮影準備が完了していない場合であっても、高速、高精度適正な撮影を可能とするものである。